(57)【要約】【課題】一部を破断して開封する構造の包装袋において、簡易迅速な包装ができるようにする。また、リユースに際して多様な使用形態を得られるようにする。【解決手段】偏平な袋本体１５の上端部に一対の上端縁部１６を備えて、一対の上端縁部１６の下端における内側には、破断すると開封できる内蓋部２６を一体に備える。表側の上端縁部１６の外側面にフラップ部１２を垂設し、フラップ部１２の内側に袋本体１５内の収納空間に通じる開口を備える。袋本体１５におけるフラップ部１２の内側面に対向する部位には、フラップ部１２を貼り付ける粘着剤層を備える。上端縁部１６に、上端縁部１６の幅方向に延びる紐体２２を備えて、紐体２２の長手方向の両端部に、上端縁部１６に対して一体化する端部溶着部２３を備える。端部溶着部２３を取り囲む位置に、端部溶着部２３を上端縁部１６から切り離して紐体２２を引き出すミシン目２４を形成する。【選択図】図１
2019206365.tif 000002
【特許請求の範囲】
【請求項１】
有底袋状の偏平な袋本体の上端部に設けられた一対の上端縁部と、
一対の前記上端縁部の下端における内側面同士の間を一体に連結する内蓋部と、
前記上端縁部の外側面のうちの一方から垂設されたフラップ部と、
前記フラップ部の内側面に対向して前記袋本体内の収納空間に連通する開口縁部と、
前記開口縁部における前記フラップ部に対向する面に設けられて前記フラップ部を貼り付ける貼り付け手段を備え、
前記内蓋部に、前記内蓋部を開いて前記収納空間を開ける開封手段が形成され、
前記上端縁部に、前記上端縁部の幅方向に延びる紐体が備えられ、
前記紐体の長手方向の両端部に、前記上端縁部に対して一体化する一体化部を有するとともに、
前記一体化部を有する部位を前記上端縁部から切り離す切り離し手段が形成された
包装袋。
【請求項２】
前記上端縁部が偏平なチューブ状であるとともに、
前記上端縁部内に前記紐体が保持され、
前記上端縁部の幅方向の中間部に、前記紐体を露出させる切欠き、又は前記切欠きを形成する切欠き形成部が形成された
請求項１に記載の包装袋。
【請求項３】
前記紐体がテープ状であるとともに、
前記上端縁部内の上端位置に前記紐体が備えられ、
前記切欠きにおける上下方向の高さが前記紐体の幅に対応する高さである
請求項２に記載の包装袋。
【請求項４】
前記袋本体の幅方向の両側縁に、材料のシート材を結合一体化するシール部が形成されるとともに、
前記フラップ部における前記開口縁部の上端部に対応する部位が、前記シール部によって前記開口縁部の上端部に結合一体されている
請求項１から請求項３のうちいずれか一項に記載の包装袋。
【請求項５】
前記上端縁部が前記袋本体の幅と同じ幅に延びる帯状であるとともに、
前記フラップ部が前記袋本体と同じ幅である
請求項１から請求項４のうちいずれか一項に記載の包装袋。
【発明の詳細な説明】
【技術分野】
【０００１】
この発明は、商品や荷物などの包装に用いられる包装袋に関し、より詳しくは、一部を破断して開封がなされるような包装袋に関する。
【背景技術】
【０００２】
包装袋には、商品等を湿気や乾燥などから守ったり、衛生的な状態を維持したり、セキュリティーを確保したりするために、一度開封したら元の状態に戻せない包装をするものがある。
【０００３】
下記特許文献１に開示の包装袋は、その一例であり、商品等を入れるための開口部を下端に有し、開口部の反対側の上部には開封時に破って開く内蓋を有している。そして、内蓋より上の部位には、チャックテープが備えられており、このチャックテープを利用して口を閉じることで、開封時に破断した内蓋を隠ぺいすることができるので、包装袋は開封後でも体裁くよく使用できるとされている。
【０００４】
しかし、特許文献１の包装袋は、開封後の使用に際しての体裁、つまり外見のことを考慮したものであって、持ちやすさや使いやすさなど、包装袋をリユースする場合のことについては特に配慮されていない。
【０００５】
リユースを目的としたものではないが、下記特許文献２のように、持ちやすさを工夫した包装袋がある。特許文献２の包装袋は、袋本体の上端縁に、吊手となるテープを内在するテープ挿通部を有するとともに、袋本体の上端縁に、テープの一部を露出する切欠部を有する構成である。この包装袋では、手に提げる際にテープを引っ張り出すと、片手でも持つことができるとされている。
【０００６】
しかし、特許文献１、２のいずれの包装袋も、商品等を収納するための開口部を下端に有しており、収納後に開口部を溶着して閉鎖する。
【０００７】
このため、溶着手段を有した自動包装装置で包装する場合には問題ないが、例えば店舗で購入された商品を顧客に手渡す前に包装するような場合や、宅配する荷物を包装するような場合には、溶着しなければならないので、特許文献１、２のような包装袋は基本的には使用できない。
【０００８】
また、特許文献２のようにテープを備えて持ちやすくしても、切欠部に手を入れてテープを持って手に提げるという、一通りの使い方しかできない。例えば肩にかけるように持ったり、上端の開口を縛って閉じたりすることは不可能である。
【先行技術文献】
【特許文献】
【０００９】
【特許文献１】特許第５７１５２８３号公報
【特許文献２】特開２０００−４３９００号公報
【発明の概要】
【発明が解決しようとする課題】
【００１０】
この発明は、一部を破断して開封する構造の包装袋において、簡易迅速に包装ができるとともに、リユースに際して便利に使用できるようにすることを主な目的とする。
【課題を解決するための手段】
【００１１】
そのための手段は、有底袋状の偏平な袋本体の上端部に設けられた一対の上端縁部と、一対の前記上端縁部の下端における内側面同士の間を一体に連結する内蓋部と、前記上端縁部の外側面のうちの一方から垂設されたフラップ部と、前記フラップ部の内側面に対向して前記袋本体内の収納空間に連通する開口縁部と、前記開口縁部における前記フラップ部に対向する面に設けられて前記フラップ部を貼り付ける貼り付け手段を備え、前記内蓋部に、前記内蓋部を開いて前記収納空間を開ける開封手段が形成され、前記上端縁部に、前記上端縁部の幅方向に延びる紐体が備えられ、前記紐体の長手方向の両端部に、前記上端縁部に対して一体化する一体化部を有するとともに、前記一体化部を有する部位を前記上端縁部から切り離す切り離し手段が形成された包装袋である。
【００１２】
この構成では、商品等の包装に際してはフラップ部を上げて開口縁部の上端から収納空間に商品等を収めて、貼り付け手段を用いてフラップ部を固定して開口を閉鎖する。フラップ部より上方の上端縁部の内側面同士の間には内蓋部があるので、収納空間は、一部を破断しなければ開封できない密封状態になる。開封に際しては、開封手段で内蓋部を開いて、収納空間を開放する。
【００１３】
特にリユースに際しては、上端縁部に備えた紐体を保持するほか、紐体の長手方向の一方の端の一体化部、又は両方の端の一体化部を上端縁部から切り離すと、紐体をのばして使える。
【発明の効果】
【００１４】
この発明によれば、内蓋部を開いて開封する構造の包装袋において、フラップと開口縁部で形成される開口を閉じる貼り付け手段を有しているので、簡易迅速に包装ができる。また、特に、内蓋部を開いて開封した後のリユースに際しては、紐体を持って手に提げる、紐体を上端縁部の幅方向の一方に延ばす、紐体を上端縁部の幅方向の両方にのばす、という少なくとも３種類の使い方ができるので、使用目的に応じて便利に使用できる。
【図面の簡単な説明】
【００１５】
【図１】包装袋の斜視図。
【図２】一部を省略した包装袋の縦断面図。
【図３】シート材の展開図。
【図４】フラップ部の端部のシール部を示す斜視図。
【図５】リユース時の態様の一例を示す正面図。
【図６】他の例に係る包装袋の要部の斜視図。
【発明を実施するための形態】
【００１６】
この発明を実施するための一形態を、以下図面を用いて説明する。
【００１７】
図１に、包装前の包装袋１１の上端部を広げた状態の斜視図を示す。この包装袋１１は、商品などを単に包装するほか、荷物の輸送にも好適に使用できるものであり、特に使用後のリユースが至便に行える構成を有している。
【００１８】
包装袋１１は、溶着可能で柔軟な適宜の合成樹脂製シートを材料にして構成されており、全体して偏平な方形状である。概略構造を説明すると、包装袋１１の底辺と両側縁は閉じられており、上端部は図１に示したように表裏方向に広がるものの、上端部には商品等を収納するための開口はなく、図２にも示したように閉じられている。商品等の収納は、表裏方向の一方、この例では表側に設けられたフラップ部１２の内側の開口１３から行われる構造である。フラップ部１２は一度閉じると容易には剥がれないように固定されるものであって、商品等の収納後にフラップ部１２を閉鎖したあとは、一度開封すると元の状態に戻せないことになる。
【００１９】
具体的に説明すると、包装袋１１は、正面視方形状で有底袋状の偏平な袋本体１５と、袋本体１５の上端部に設けられた一対の上端縁部１６を有する。これら袋本体１５と上端縁部１６は、図３に展開図を示したように、長方形の外形を有する１枚のシート材１７で構成される。
【００２０】
袋本体１５は、上下方向の全体にわたって同一幅であり、底辺は折り返しで形成され、表裏に重なる表シート部１７ａと裏シート部１７ｂの間に、商品等を収納する収納空間１８を有している。
【００２１】
上端縁部１６は、袋本体１５の幅方向に延びる帯状であり、上端縁部１６の長さは、袋本体１５の幅方向の長さと同じ長さである。上端縁部１６の高さは、袋本体１５の上下方向の長さよりも短く、手に持ったりするのにふさわしい適宜高さに設定されている。
【００２２】
袋本体１５の両側縁と上端縁部１６の両側縁、つまり包装袋１１の両側縁は、一直線に形成される一連のシール部１９で閉じられている。シール部１９はシート材１７の重なり合う部分を一体化するもので、製造工程でカット（切断）と同時に形成される。
【００２３】
また上端縁部１６は、図２の断面図に示したように、偏平なチューブ状、つまり表裏方向に二重構造である。上端縁部１６は、上端縁部１６の上端に対応する位置で折り返して重ねた上端シート部１７ｃ同士を溶着して構成される。上端縁部１６を形成し、袋本体１５との境界となる溶着部２１は、図１、図３に示したように、包装袋１１の幅方向全体に一直線に形成される。
【００２４】
さらに一対の上端縁部１６には、それぞれ上端縁部１６の幅方向に延びる紐体２２が備えられている。紐体２２は合成樹脂製のシートからなり、テープ状であるとともに、チューブ状をなす上端縁部１６の内部に保持される。紐体２２は上端縁部１６の内部でも、その上端位置に備えられる。つまり、紐体２２は上端縁部１６の高さよりも低い幅狭のテープ状に形成されており、上端に寄せて保持される。
【００２５】
紐体２２の保持は、紐体２２の長手方向の両端部に上端縁部１６に対して一体化する一体化部を形成することで行う。具体的には、紐体２２の両端部に、上端縁部１６の両端の上端角部１６ａとその周囲に対して溶着により一体化する、一体化部としての端部溶着部２３を形成する。
【００２６】
端部溶着部２３を取り巻く部位には、この部位を上端縁部１６から切り離す切り離し手段が形成されている。切り離し手段は切り取りやすくするミシン目２４で構成される。ミシン目２４は、正面視で４分の１円弧状であって、上端縁部１６のみに形成されており、紐体２２には切り込みは不存在である。
【００２７】
このような紐体２２を内蔵する上端縁部１６の幅方向の中間部には、紐体２２を露出させる切欠き２５が形成されている。切欠き２５は、適宜長さの略長方形状に形成される。切欠き２５における上下方向の高さは、紐体２２の幅（上下方向の高さ）に対応する高さである。つまり、切欠き２５は紐体２２で塞がれる高さであるとともに、紐体２２の下に手を入れると紐体２２を即座につかめ、紐体２２を離すとすぐに元の状態に戻る構造である。
【００２８】
一対の上端縁部１６の下端、つまり上端縁部１６を形成する前述の溶着部２１における内側面同士の間には、これらを一体に連結する内蓋部２６が形成されている。内蓋部２６は常態において、上端縁部１６より下方の位置で断面Ｖ字状に折りたたまれた状態である。上端縁部１６同士の中間位置、つまり断面Ｖ字状に折り曲げられたときに谷になる位置には、内蓋部２６を開く開封手段が形成されている。開封手段としては例えばミシン目やカットシールなどで構成することができる。図示例の包装袋１１では、開封手段としてミシン目２７を採用している。ミシン目２７は、袋本体１５の幅方向に対応する方向の全体にわたって一直線に形成されている。
【００２９】
内蓋部２６の上下方向の長さ、換言すれば断面Ｖ字状に折りたたまれたときの高さは、前述した袋本体１５の表シート部１７ａに重ならない長さに設定される。
【００３０】
上端縁部１６の外側面のうちの一方、つまり一対の上端縁部１６のうち表面側の上端縁部１６を形成する溶着部２１の外側面から下には、前述のフラップ部１２が垂設されている。フラップ部１２は袋本体１５の上端部に被さる適宜長さに形成されており、フラップ部１２の袋本体１５の幅方向に対応する長さは、袋本体１５の幅と同じである。
【００３１】
袋本体１５の表面側（表シート部１７ａ）におけるフラップ部１２の内側面に対向する部位は、袋本体１５の内部の収納空間１８に連通する開口縁部２８であって、この開口縁部２８とフラップ１２との間が、前述の開口１３である。
【００３２】
開口縁部２８におけるフラップ部１２に対向する面には、フラップ部１２を貼り付ける貼り付け手段が備えられている。貼り付け手段は、開口縁部２８の全体にわたってのびる帯状の粘着剤層２９で構成されており、粘着剤層２９は帯状の離型紙３１で保護されている。離型紙３１の上下方向の高さは、粘着剤層２９の高さよりも大きく設定され、離型紙３１の上下方向の縁を粘着剤層２９よりもはみ出させて、離型紙３１をはぎ取りやすくしている。
【００３３】
フラップ部１２は、開口１３から商品等を収納するために開く構造であるが、溶着部２１より下の部分がすべて開く構造ではない。つまり、包装袋１１の両側は前述のようにシール部１９を有するが、フラップ部１２における開口縁部２８の上端部に対応する部位は、図４に示したように、シール部１９によって開口縁部２８の上端部に結合一体化されている。図４中、ハッチングに加えて点を施した部分がシール部１９である。シール部１９によってフラップ部１２の両側縁の一部は開口縁部２８に一体となっているので、シール部１９の近傍においては開口縁部２８の上端がフラップ部１２の下に収まった状態が維持されるが、シール部１９間の部位では、開口縁部２８の上端が露出し、大きな開口１３が得られる。
【００３４】
以上のように構成された包装袋１１は次のように使用される。
【００３５】
まず、商品等の包装に際しては、フラップ部１２をめくりあげて開口１３を開き、収納空間１８に商品等を収納する。宅配等の輸送に使用する場合には、商品等を緩衝材に包んでから収納する。
【００３６】
商品等を収納した後は、開口１３を閉じて、フラップ部１２を粘着剤層２９に留める。このとき、フラップ部１２における開口縁部２８の上端部に対応する部位がシール部１９によって開口縁部２８の上端部に結合一体化されているので、商品等を収納してから開口縁部２８を自由にすると、自然と開口縁部２８は閉じて、その上にフラップ部１２が重なることになる。このため、粘着剤層２９に対するフラップ部１２の貼り付けは、離型紙３１を剥がしてからフラップ部１２を押さえるだけで簡単にきれいに行える。
【００３７】
フラップ部１２の長さ、つまり包装袋１１の幅方向の長さが袋本体１５の幅と同じであることからも、幅方向にずれることのないきれいな貼り付けが容易に行える。
【００３８】
このようして収納された商品等は、包装袋１１の一部を破断しなければ開封できない密封状態である。このため、内部の商品を湿気や汚れなどから保護するほか、セキュリティーの確保もできる。
【００３９】
また、上端縁部１６には紐体２２を備えるとともに、紐体２２を露出させる切欠き２５を有するが、紐体２２がテープ状であるとともに、紐体２２が常態縁部内の上端位置に備えられ、切欠き２５の上下方向の高さが紐体２２の幅に対応する高さであるので、切欠き２５を穴あるいは欠損として認識させない美麗な外観を得られる。換言すれば、提げ手を備えない袋の外観が得られる。そのうえ、紐体２２の幅が切欠き２５の高さよりも広い場合とは異なり、手に持つ際には、紐体２２と切欠き２５の間にさっと手が入り、手を外せば紐体２２が切欠き２５を塞いで元の状態に戻るので、取扱い性と外観の良好さの両立を図れる。
【００４０】
開封に際しては、内蓋部２６をミシン目２７で開く。
【００４１】
商品等を取り出した後は、包装袋１１の役目は一旦終了するが、例えば物品の包装や持ち運び、ごみの収集などにリユース（再使用）される。
【００４２】
リユースに際しては、上端縁部１６に備えた紐体２２を手にかけて下げたり、紐体２２を上端縁部１６の上端角部１６ａごと上端縁部１６から引き出して適宜使用したりするなど、多様な使用が可能である。
【００４３】
紐体２２を手に持つ場合には、図５の（ａ）に示したように、切欠き２５から露出している紐体２２の下に手を入れればよい。フラップ部１２が開口縁部２８に貼り付いているので、フラップ部１２が上端部の形態保持に貢献する。紐体２２を上端縁部１６から引き出す場合には、図５の（ｂ）に示したように、紐体２２の一端のみを引き出すことと、両端を引き出すことができる。一端のみを引き出すと、開いた内蓋部２６を有する上端の開口が閉じ、紐体２２を長く使えるので、例えば肩にかけてショルダーバッグのように持つなど、手に提げる場合とは異なった使い方ができる。紐体２２の両端を引き出すと、同様に上端の開口が閉じ、引き出された紐体２２を手に持って提げるほか、例えば開口を閉じた状態に保持するための結束に紐体２２を用いるなど、自由な使用ができる。
【００４４】
以上のように、この包装袋１１を使用すると、一部を破断しなければ開封できない包装について、溶着装置を用いずに簡易迅速に包装ができる。そのうえ、リユースに際しては、特に鋏などを用いて行うような構造上の改変なしに、様々な態様の使用形態を得られるので便利に使用できる。
【００４５】
このような包装袋１１であるので、前述の例のような商品や荷物の包装のほかに、例えば各種イベント、例えばマラソン大会や試合観戦などのスポーツイベントや清掃などのボランティアイベント等において参加者に進呈する物品を収納する収納袋や、顧客や入館者などから預かる物品を収納する保管袋又は預かり袋などとしても好適に使用でき、使用後はそのまま参加者や顧客等に渡すことで、リユースによる有効利用も期待できる。
【００４６】
以上の構成はこの発明を実施するための一形態の構成であって、この発明は前述の構成に限定されるものではなく、その他の構成を採用することもできる。
【００４７】
たとえば、包装袋１１は正面視方形状であるほか、上部が幅狭となる形状など、その他の適宜の形状に形成することができる。
袋本体１５の上端縁部１６に形成される切欠き２５は、前述のように予め形成されているのではなく、図６に示したように必要になった時点で切離して形成できるように、上端縁部１６には、紐体２２を露出させる切欠き２５を形成する切欠き形成部２５ａを設けてもよい。切欠き形成部２５ａは、切離しを行う部位に例えばミシン目２５ｂからなる脆弱部分を形成して構成できる。
【００４８】
紐体２２は、上端縁部１６に内蔵するほか、上端縁部１６に沿わせて備えてもよい。
【００４９】
袋本体１５の底は、例えば逆Ｖ字状に折り込んだマチを有する形状であってもよい。
【００５０】
前述の構成では、フラップ部１２を有する側を包装袋１１の表としたが、フラップ部１２を有する側を裏としてもよい。
【符号の説明】
【００５１】
１１…包装袋
１２…フラップ部
１５…袋本体
１６…上端縁部
１８…収納空間
１９…シール部
２２…紐体
２３…端部溶着部
２４…ミシン目（切り離し手段）
２５…切欠き
２６…内蓋部
２７…ミシン目（開封手段）
２８…開口縁部
２９…粘着剤層
【図１】
2019206365.tif 000003
【図２】
2019206365.tif 000004
【図３】
2019206365.tif 000005
【図４】
2019206365.tif 000006
【図５】
2019206365.tif 000007
【図６】
2019206365.tif 000008